(57)【要約】      （修正有）【課題】ゴルフボールマーカー等のプレートを保持するホルダー本体を、その取り付け個所の状態に関わらず、常に所望の向きにして装着することができるプレートホルダーを提供する。【解決手段】ゴルフボールマーカー等のプレート７を磁着保持するためのホルダーであって、前記ホルダーは、磁性材製の又は永久磁石を埋設したホルダー本体１と、前記ホルダー本体１の背面に回動可能に取り付けられるクリップ２とから成る。前記クリップ２は、前記ホルダー１の背面に形成された溝付き環状凹陥部３に嵌合係止されて摺動回転するＣ字環部５を有する。【選択図】図３
0003122301.tif 000002
【実用新案登録請求の範囲】
【請求項１】
ゴルフボールマーカー等のプレートを磁着保持するためのホルダーであって、前記ホルダーは、磁性材製の又は永久磁石を埋設したホルダー本体と、前記ホルダー本体の背面に回動可能に取り付けられるクリップとから成ることを特徴とするプレートホルダー。
【請求項２】
前記クリップは、前記ホルダーの背面に形成された溝付き環状凹陥部に嵌合係止されて摺動回転するＣ字環部を有する請求項１に記載のプレートホルダー。
【考案の詳細な説明】
【技術分野】
【０００１】
本考案はプレートホルダー、より詳細には、ゴルフボールマーカー、記念メダル等の、主として金属製のプレートを保持するホルダーであって、殊に、プレートを頻繁に脱着する必要のある用途に好適なプレートホルダーに関するものである。
【背景技術】
【０００２】
本考案におけるプレートの一例であるゴルフボールマーカーとしては、一般にプラスチック製のものが多く用いられているが、より高級感があり、使用者の趣好心を満足させる金属製のものも使用されている。そして、この金属製ゴルフボールマーカーを携帯保持する方法としては、磁着方式が一般的である。
【０００３】
例えば、帽子のひさしに保持するもの（実用新案登録第３１０３３５３号）、腕環状ホルダーにて保持するもの（実用新案登録第３０１６８１２号公報）、クリップ手段を有していてベルト等に掛けるホルダーにて保持するもの（実用新案登録第３１０１４５６号、同第３１０６２６２号公報）、吊下手段を有していて所望個所に吊下するホルダーにて保持するもの（実用新案登録第３０９６４５３号公報）等が知られている。
【０００４】
このうち、クリップ手段を有するホルダーは、プレートを磁着保持するホルダー本体の背面に、ポケットやエリ等を挟持させてそこに取り付けるためのクリップを設けたものである。
【０００５】
このホルダーの場合、クリップはホルダー本体の背面に完全に固定されていて動かないため、例えば、斜め向きのポケットに取り付けると、ホルダー本体は、必然的に、ポケットに対応した傾斜状態となるが、その傾斜状態は、ホルダー本体のデザイン等からして好ましくないことが少なくない（例えば、ホルダー本体が動物を模したものである場合に、その頭が下向きになってしまうことがある。）。
【０００６】
【特許文献１】実用新案登録第３１０３３５３号公報
【特許文献２】実用新案登録第３０１６８１２号公報
【特許文献３】実用新案登録第３１０６２６２号公報
【特許文献４】実用新案登録第３０９６４５３号公報
【考案の開示】
【考案が解決しようとする課題】
【０００７】
本考案は、上述したような従来のゴルフボールマーカーホルダーを代表例とするプレートホルダーの有する欠点を除去するためになされたもので、ゴルフボールマーカー等のプレートを保持するホルダー本体を、その取り付け個所の状態に関わらず、常に所望の向きにして装着することができるプレートホルダーを提供することを課題とする。
【課題を解決するための手段】
【０００８】
上記課題を解決するための請求項１に記載の考案は、ゴルフボールマーカー等のプレートを磁着保持するためのホルダーであって、前記ホルダーは、磁性材製の又は永久磁石を埋設したホルダー本体と、前記ホルダー本体の背面に回動可能に取り付けられるクリップとから成ることを特徴とするプレートホルダーである。
【０００９】
好ましくは、前記クリップは、前記ホルダーの背面に形成された溝付き環状凹陥部に嵌合係止されて摺動回転するＣ字環部を有する。
【考案の効果】
【００１０】
本考案は上記構成であって、ホルダー本体の背面に取り付けられるクリップがホルダー本体の背面に対して回動可能であるので、ホルダー本体をクリップを介して所望の個所に取り付けた後、ホルダー本体を所望の角度に回動させることができるので、常に、本ホルダーのデザイン性を損なうことなく装着し得る効果がある。
【００１１】
請求項２に記載の考案においては、ホルダー本体背面のクリップの回動支持部を、突出させることなく薄手に形成し得る効果がある。
【考案を実施するための最良の形態】
【００１２】
本考案の好ましい実施の形態について添付図面に依拠して説明する。図１及び図２に示す実施形態は、本考案に係るホルダーをゴルフボールマーカー用ホルダーとして構成したものである。それは、例えば、ビール瓶を象ったホルダー本体１と、その背面に設置されるクリップ２とから成る。
【００１３】
ホルダー本体１は、それ自体が磁性体であるか、あるいは、非磁性材製であって磁性材を埋設したものとすることにより、永久磁石の磁着が可能にされる。
【００１４】
ホルダー本体１の背面には、クリップ２を回動自在に支持するためのクリップ係止手段が設置される。クリップ係止手段は、例えば、溝付き環状凹陥部３である。溝付き環状凹陥部３は、浅い環状凹陥部の内周側周面に、係止溝４を周設したものである。
【００１５】
クリップ２は、ポケットやエリの端部に引掛けてそこを挟持させるためのもので、ホルダー本体１に当接する部分、換言すれば、回動可能に支持される部分に、一部が切り離されたＣ字環部５を備える。
【００１６】
Ｃ字環部５の内径側端縁には、段部５ａが形成され、段部５ａの内径は、溝付き環状凹陥部３の内径よりも少し小さくなるように設定される。かくしてＣ字環部５を溝付き環状凹陥部３内に嵌合させるように押圧すると、切り離し部があることによって僅かに開くことにより、段部５ａが係止溝４内に嵌まり込み、その復元力によって閉じ、係止溝４に収まって係止される。この状態においてクリップ２は、溝付き環状凹陥部内において、摺動して回動可能となる。
【００１７】
クリップ２を回動可能にするための手段をこのような構成とすることにより、ホルダー本体１の背面に突出物のない、薄手のものとすることができる。
【００１８】
かくして本ホルダーは、クリップ２をポケットの縁等に掛けてそこに取り付けた後、クリップ２を押さえてホルダー本体１を任意の角度に回動させ、その状態を保持させることができるので、常にホルダー本体１を、そのデザイン上適切と考えられる角度にして装着することができる。そして、ホルダー本体１の表面に、永久磁石６を埋設したプレート７を磁着させる。
【００１９】
上述した例では、プレート７の方に永久磁石６を埋設しているが、逆に、プレート７を磁性体とし、永久磁石６をホルダー本体１の方に埋設することとしてもよい。
【００２０】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２１】
【図１】本考案に係るプレートホルダーの一実施形態を示す部分破断正面図である。
【図２】本考案に係るプレートホルダーの一実施形態を示す背面図である。
【図３】本考案に係るプレートホルダーの一実施形態を示す部分破断背面図である。
【図４】図１におけるＡ−Ａ線拡大断面図である。
【符号の説明】
【００２２】
１    ホルダー本体
２    クリップ
３    溝付き環状凹陥部
４    係止溝
５    Ｃ字環部
５ａ  段部
６    永久磁石
７    プレート
【図１】
0003122301.tif 000003
【図２】
0003122301.tif 000004
【図３】
0003122301.tif 000005
【図４】
0003122301.tif 000006